(57)【要約】【課題】簡易な構造で、機器本体を卓上に斜めに立てて置ける上、表示カバーをユーザが容易に交換できる表示カバー付き電子機器を提供すること。【解決手段】前面に表示部２を有する機器本体１と、本体１に対して着脱可能で、本体前面１ａの周縁を覆うための枠部６を有する表示カバー５Ｂとを備える。表示カバー５Ｂは枠部６をなす辺６１の所定の部位に孔８Ｂを有する。本体１は側面のうち上面寄りの部位に、表示カバー５Ｂの孔８Ｂに合う形状をもつ軸部４Ｂを有する。そして、孔８Ｂに軸部４Ｂが差し込まれ、本体前面１ａが水平面に対して傾斜したスタンド状態をとる。【選択図】　図６
2004045493.tif 000002
【特許請求の範囲】
【請求項１】
前面に表示部を有する機器本体と、上記本体に対して着脱可能で、上記本体前面の周縁を覆うための枠部を有する表示カバーとを備えた表示カバー付き電子機器において、
上記表示カバーは上記枠部をなす辺の所定の部位に孔を有し、
上記本体は側面のうち上面寄りの部位に、上記表示カバーの孔に合う形状をもつ軸部を有し、
上記本体から取り外された上記表示カバーの上記孔に上記本体の上記軸部が差し込まれ、上記本体前面が水平面に対して傾斜したスタンド状態をとるようになっていることを特徴とする表示カバー付き電子機器。
【請求項２】
請求項１に記載の表示カバー付き電子機器において、
上記表示カバーの上記孔は、上記辺の長手方向に沿って複数配置されていることを特徴とする表示カバー付き電子機器。
【請求項３】
請求項１に記載の表示カバー付き電子機器において、
上記軸部は、上記本体側面を貫通して設けられたシャフトと、このシャフトの先端に径方向に張り出すように形成されたヘッドとを有し、
上記表示カバーの上記孔は、上記ヘッドの通過を許容するサイズをもつ主部と、この主部に連なって形成され、上記シャフトの通過を許容し上記ヘッドの通過を禁止するサイズをもつ副部とを有することを特徴とする表示カバー付き電子機器。
【請求項４】
前面に表示部を有する機器本体と、上記本体に対して着脱可能で、上記本体前面の周縁を覆うための枠部を有する表示カバーとを備えた表示カバー付き電子機器において、
上記表示カバーは、上記枠部の対向する２辺の内縁に、互いに対向する凹部の対を有し、
上記本体は上面に、上記表示カバーの上記凹部の対の間に嵌まる形状をもつ凸部を有し、
上記本体から取り外された上記表示カバーの上記凹部の対の間に上記本体の上記凸部が嵌合され、上記本体前面が水平面に対して傾斜したスタンド状態をとるようになっていることを特徴とする表示カバー付き電子機器。
【請求項５】
請求項４に記載の表示カバー付き電子機器において、
上記表示カバーの上記凹部の対は、上記辺の長手方向に沿って複数配置されていることを特徴とする表示カバー付き電子機器。
【請求項６】
請求項５に記載の表示カバー付き電子機器において、
上記表示カバーの上記凹部は上記辺の長手方向に沿って一定ピッチで連続して設けられていることを特徴とする表示カバー付き電子機器。
【請求項７】
請求項４に記載の表示カバー付き電子機器において、
上記凸部は上記機器本体の使用目的を実現するための部品からなることを特徴とする表示カバー付き電子機器。
【発明の詳細な説明】
【０００１】
【発明の属する技術分野】
この発明は表示カバー付き電子機器に関する。より詳しくは、機器本体に表示部を有し、ユーザがその表示部を正しい姿勢で見易いように、機器本体を机や卓上など（以下、簡単のため「卓上」という。）に斜めに立てて置ける機能を持つ表示カバー付き電子機器に関する。
【０００２】
【従来の技術および発明が解決しようとする課題】
従来、この種の表示カバー付き電子機器としては、機器本体の前面に表示部を有し、本体裏面の一端辺と蓋部（本体から取り外し可能に設けられている）の一端辺とを係合させて機器本体を卓上に直立させるようにしたものが知られている（実開平５−２００８４号公報）。これによれば、簡単な構造で機器本体を直立させることができる。しかしながら、機器本体、したがって本体前面の表示部が直立しているため、ユーザが正しい姿勢では表示部を見にくいという問題がある。
【０００３】
これに対して、特開平７−１０７４１９号公報では、箱状をなす機器本体の前面（第１の面）に表示部を有し、その前面と隣り合う面（第２の面）に丁番式に取り付けられた矩形状のヒンジ板と、このヒンジ板の先端側の辺に丁番式に取り付けられた表示カバーと、本体後面（第３の面）に丁番式に取り付けられた支え板とを備えたものが提案されている。機器を保管・携行する場合は、ヒンジ板が前面側に倒され、表示カバーが本体前面を覆う状態にされる。一方、機器を卓上で使用する場合は、ヒンジ板が後面側に倒され、表示カバーが水平に配置され、支え板の先端側の辺が表示カバーに係止される。これにより、表示カバーと支え板とでスタンドが構成され、機器本体が卓上に斜めに立てて置かれる（スタンド状態）。したがって、ユーザが正しい姿勢で容易に表示部を見ることができる。
しかしながら、表示カバー以外に、ヒンジ板、支え板、さらにはそれらを本体に取り付ける丁番などの多数の部品を必要とし、部品点数が多く構造が複雑であるという問題がある。また、最近ではデザイン性の観点からユーザが自分の好みに応じて電子機器の表示カバーを色違いのもの等に交換したがる傾向があるが、上述の構造では、表示カバーが本体に対して丁番式に取り付けられているため、本体から容易には取り外せない。このため、表示カバーをユーザが交換することができないという問題がある。
【０００４】
そこで、この発明の課題は、簡易な構造で、機器本体を卓上に斜めに立てて置ける上、表示カバーをユーザが容易に交換できる表示カバー付き電子機器を提供することにある。
【０００５】
【課題を解決するための手段】
上記課題を解決するため、この発明の表示カバー付き電子機器は、次のように構成される。すなわち、この発明の表示カバー付き電子機器は、前面に表示部を有する機器本体と、上記本体に対して着脱可能で、上記本体前面の周縁を覆うための枠部を有する表示カバーとを備える。上記表示カバーは上記枠部をなす辺の所定の部位に孔を有する。上記本体は側面のうち上面寄りの部位に、上記表示カバーの孔に合う形状をもつ軸部を有する。そして、この表示カバー付き電子機器は、上記本体から取り外された上記表示カバーの上記孔に上記本体の上記軸部が差し込まれ、上記本体前面が水平面に対して傾斜したスタンド状態をとるようになっている。
【０００６】
なお、この明細書では、特に断らない限り、ユーザが機器を卓上に載置して使用するときの視点を基準にして、上下左右、前後をいうものとする。
【０００７】
また、軸部が設けられている「側面のうち上面寄りの部位」とは、その側面内で中央よりも上面に近い部位を意味する。
【０００８】
この発明の表示カバー付き電子機器では、機器を保管・携行する場合は、表示カバーが機器本体の前面に装着されて、表示カバーの枠部が本体前面の周縁を覆う状態にされる。一方、機器を卓上で使用する場合は、上記本体から取り外された上記表示カバーの上記孔に上記本体の上記軸部が差し込まれる。そして、この繋がった状態の機器が卓上に、上記表示カバーの上記枠部が立つように、より正確には上記孔が設けられている辺の長手方向が鉛直に向くように載置される。すると、上記本体の上部（側面のうち軸部が設けられている上面寄りの部位）が上記表示カバーの枠部（辺）によって卓面よりも高い位置に保持され、上記本体の下部は卓面に支持される。この結果、機器は上記本体前面が水平面に対して傾斜したスタンド状態をとる。つまり、機器本体が卓上に斜めに立てて置かれる。したがって、ユーザが正しい姿勢で容易に表示部を見ることができる。
【０００９】
しかも、この表示カバー付き電子機器では、スタンド状態を実現するために、それぞれ機器本体に軸部、表示カバーに孔を設けているだけであるから、例えば特開平７−１０７４１９号公報に記載の従来例に比して、部品点数が少なく簡単な構造になる。また、上記表示カバーは機器本体に対して着脱可能であるから、表示カバーをユーザが容易に交換することができる。したがって、ユーザは表示カバーとして色違いのもの、装飾違いのものなどを自分の好みに応じて使うことができる。
【００１０】
一実施形態の表示カバー付き電子機器は、上記表示カバーの上記孔は、上記辺の長手方向に沿って複数配置されていることを特徴とする。
【００１１】
この一実施形態の表示カバー付き電子機器では、上記表示カバーの上記孔は、上記辺の長手方向に沿って複数配置されている。したがって、スタンド状態で、上記本体の上部（側面のうち軸部が設けられている上面寄りの部位）が保持される高さは、上記複数の孔のうちいずれの孔に上記軸部を差し込んだかに応じて可変して設定される。したがって、ユーザは自分が表示部を見やすくなるように、機器本体の傾斜角度を調整できる。
【００１２】
一実施形態の表示カバー付き電子機器はでは、上記軸部は、上記本体側面を貫通して設けられたシャフトと、このシャフトの先端に径方向に張り出すように形成されたヘッドとを有する。上記表示カバーの上記孔は、上記ヘッドの通過を許容するサイズをもつ主部と、この主部に連なって形成され、上記シャフトの通過を許容し上記ヘッドの通過を禁止するサイズをもつ副部とを有する。
【００１３】
この一実施形態の表示カバー付き電子機器によれば、まず、表示カバーの上記孔の主部が上記軸部のヘッドの通過を許容するサイズをもつので、上記本体から取り外された上記表示カバーの上記孔（の主部）に上記本体の上記軸部を差し込む作業が容易になる。次に、ユーザは、上記表示カバーと上記本体とを相対移動させて、上記軸部のシャフトが上記孔の副部に位置する状態にすることができる。この状態では、上記軸部のヘッドは上記孔（の副部）の通過を禁止されるので、上記表示カバーと本体とは分離しなくなる。したがって、スタンド状態が安定に保たれる。
【００１４】
さらに、上記軸部のヘッドは外へ向かって開いたテーパを有する円錐状をなし、上記表示カバーの上記孔はそのテーパに対応するテーパを有するのが望ましい。そのようにした場合、「上記表示カバーと上記本体とを相対移動させて、上記軸部のシャフトが上記孔の副部に位置する状態」にする作業が容易になる。「上記表示カバーと上記本体とを相対移動させ」るとき、上記孔のテーパの上に上記ヘッドのテーパが乗って円滑に移動するからである。
【００１５】
また、この発明の表示カバー付き電子機器は、前面に表示部を有する機器本体と、上記本体に対して着脱可能で、上記本体前面の周縁を覆うための枠部を有する表示カバーとを備える。上記表示カバーは、上記枠部の対向する２辺の内縁に、互いに対向する凹部の対を有する。上記本体は上面に、上記表示カバーの上記凹部の対の間に嵌まる形状をもつ凸部を有する。この表示カバー付き電子機器は、上記本体から取り外された上記表示カバーの上記凹部の対の間に上記本体の上記凸部が嵌合され、上記本体前面が水平面に対して傾斜したスタンド状態をとるようになっている。
【００１６】
この発明の表示カバー付き電子機器では、機器を保管・携行する場合は、表示カバーが機器本体の前面に装着されて、表示カバーの枠部が本体前面の周縁を覆う状態にされる。一方、機器を卓上で使用する場合は、上記本体から取り外された上記表示カバーの上記凹部の対の間に、上記本体の上記凸部が嵌合される。この結果、上記表示カバーと本体とは、上記本体前面と上記表示カバーの枠部とが交差する角度で、一体になる。そして、この一体になった状態の機器が卓上に、上記表示カバーと本体とが互いを支え合うように、人の字状に載置されて、上記本体前面が水平面に対して傾斜したスタンド状態をとる。つまり、機器本体が卓上に斜めに立てて置かれる。したがって、ユーザが正しい姿勢で容易に表示部を見ることができる。
【００１７】
しかも、この表示カバー付き電子機器では、スタンド状態を実現するために、それぞれ機器本体に凸部、表示カバーに凹部を設けているだけであるから、例えば特開平７−１０７４１９号公報に記載の従来例に比して、部品点数が少なく簡単な構造になる。また、上記表示カバーは機器本体に対して着脱可能であるから、表示カバーをユーザが容易に交換することができる。したがって、ユーザは表示カバーとして色違いのもの、装飾違いのものなどを自分の好みに応じて使うことができる。
【００１８】
また、上記本体の上記凸部のうち少なくとも一方の凹部に対向する部分が弾性をもつのが望ましい。例えば、上記凸部のうち一方の凹部に対向する部分に、樹脂ばねを設ける。このようにした場合、上記本体から取り外された上記表示カバーの上記凹部の対の間に上記本体の上記凸部を嵌合させるとき、上記凸部が弾性によって収縮するので、嵌合させる作業が容易になる。
【００１９】
一実施形態の表示カバー付き電子機器は、上記表示カバーの上記凹部の対は、上記辺の長手方向に沿って複数配置されていることを特徴とする。
【００２０】
この一実施形態の表示カバー付き電子機器では、上記表示カバーの上記凹部の対は、上記辺の長手方向に沿って複数配置されている。したがって、スタンド状態で、上記本体の上部（凸部が設けられている面）が保持される高さは、上記複数の凹部の対のうちいずれの対の間に上記凸部を嵌合させたかに応じて可変して設定される。したがって、ユーザは自分が表示部を見やすくなるように、機器本体の傾斜角度を調整できる。
【００２１】
一実施形態の表示カバー付き電子機器は、上記表示カバーの上記凹部は上記辺の長手方向に沿って一定ピッチで連続して設けられていることを特徴とする。
【００２２】
この一実施形態の表示カバー付き電子機器では、上記表示カバーの上記凹部は上記辺の長手方向に沿って一定ピッチで連続して設けられている。このようにした場合、機器本体の傾斜角度をさらに細かく調整できる。しかも、表示カバーの見栄えを良くすることができる。
【００２３】
例えば、上記長手方向に関して上記ピッチを上記凹部の寸法の２倍に設定して、正弦波のような波形形状とするのが望ましい。
【００２４】
一実施形態の表示カバー付き電子機器は、上記凸部は上記機器本体の使用目的を実現するための部品からなることを特徴とする。
【００２５】
ここで「機器本体の使用目的を実現するための部品」は、機器本体に本来備わっている部品であり、例えば、上記機器の本来の機能を制御するための操作部（操作ボタンなどを含む）が挙げられる。
【００２６】
この一実施形態の表示カバー付き電子機器によれば、スタンド状態を実現するために部品点数が増えるのが防止される。
【００２７】
【発明の実施の形態】
以下、この発明の表示カバー付き電子機器を図示の実施の形態により詳細に説明する。
【００２８】
図１は、一実施形態の表示カバー付き電子機器の本体１と、本体１に対して前後方向に着脱可能に構成された樹脂材料からなる表示カバー５Ａとを斜めから見たところを示している。
【００２９】
本体１は、実質的に平坦な前面１ａ、後面１ｂ、上面１ｃ、右側面１ｄ、下面１ｅおよび左側面１ｆで定められた箱状の外形を有している。なお、本体１における上下左右、前後は、ユーザがこの機器を卓上に載置して使用するときの視点を基準にしている。
【００３０】
本体１において、上面１ｃと右側面１ｄとの間のコーナ部１１、右側面１ｄと下面１ｅとの間のコーナ部１２、下面１ｅと左側面１ｆとの間のコーナ部１３、左側面１ｆと上面１ｃとの間のコーナ部１４には、それぞれ円弧状のアール（ｒ）がつけられている。各コーナ部１１，１２，１３，１４には、表示カバー５Ａを係合するのに用いられる凹溝３がそれぞれ設けられている。
【００３１】
本体前面１ａには、枠状の周縁部で取り囲まれた内部に矩形のドットマトリクス方式液晶表示部２が設けられている。この液晶表示部２の上には、保護用の透明板２１（図３参照）が設けられている。
【００３２】
また、本体１の右側面１ｄのうち上面寄りの部位に、表示カバーの孔（後述する）に合う形状をもつ軸部４Ａが設けられている。
【００３３】
図４（Ａ）に詳細に示すように、本体右側面１ｄには、貫通孔１５が形成されるとともに、この貫通孔１５を含む領域にＤ形の浅溝１６が形成されている。軸部４Ａは、貫通孔１５に挿通されて本体右側面１ｄを貫通する円柱状のシャフト４１と、このシャフト４１の先端に径方向に張り出すように形成された円板状のヘッド４２とを有している。シャフト４１の径は貫通孔１５の径と実質的に同じに設定されている。本体１内部にあるシャフト４１の端にはＥリング４４が取り付けられ、また、シャフト４１を取り巻くようにＥリング４４と本体右側面１ｄ（内壁）との間にコイルばね４５が設けられている。軸部４Ａに外力が加わらないときは、コイルばね４５が伸張しようとする力によって、シャフト４１は本体１内部へ引き込まれ、ヘッド４２の一部は浅溝１６に収容された状態にある。
【００３４】
一方、図１中に示すように、表示カバー５Ａは、本体前面１ａの周縁部を覆うための平板状の枠部６と、この枠部６の四隅からそれぞれ枠部６に対して垂直に（装着時の本体１の後方へ）延びるコーナカバー部７１，７２，７３，７４とを有している。枠部６は、本体１の周縁部の形状に一致した略ロの字状のものであり、細長い平板状の四つの辺６１，６２，６３，６４からなっている。コーナカバー部７１，７２，７３，７４は、断面円弧状で、先細になっている。各コーナカバー部７１，７２，７３，７４の先端には、それぞれ本体１の凹溝３と係合する形状をもつ突起７が設けられている。
【００３５】
また、この表示カバー５Ａの例では、一つの辺６１の中央部に一つの孔８Ａが形成されている。この孔８Ａは、軸部４Ａのヘッド４２の通過を許容するサイズをもつ主部８１とシャフト４１の通過を許容しヘッド４２の通過を禁止するサイズをもつ副部８２とを有している。主部８１は実質的に円形の内縁をもつ。副部８２は、この主部８１に連なってストレートに短く延び、末端に半円状の内縁をもつ。
【００３６】
なお、表示カバー５Ａの枠部６よりも内側の領域は透明材料で塞がっていても良い。
【００３７】
この表示カバー付き電子機器は次のようにして使用される。
【００３８】
▲１▼　機器を保管・携行する場合は、表示カバー５Ａが本体１に対して、図１中に１点鎖線の矢印で示すように前方から向きに装着される。これにより、図３（縦断面）に示すように、表示カバー５Ａの枠部６が本体前面１ａの周縁を覆う状態になる。また、表示カバー５Ａの各コーナカバー部７１，７２，７３，７４の先端に設けられた突起７が、それぞれ本体１の対応する凹溝３と係合して、表示カバー５Ａが本体１から離脱するのが防止される。
【００３９】
なお、ユーザが指の爪などでコーナカバー部７１，７２，７３，７４を本体１のコーナ部から少し引き離すように起こせば、表示カバー５Ａが撓んで突起７と凹溝３との係合が解除され、その結果、表示カバー５Ａが本体１から取り外される。
【００４０】
▲２▼　機器を卓上で使用する場合は、次のようにして機器が卓上に置かれる。
【００４１】
詳しくは、まず、本体１から取り外された表示カバー５Ａの枠部６の辺６１を本体１の右側面１ｄに、辺６１に設けられた孔８Ａの主部８１に本体１の軸部４Ａのヘッド４２が差し込まれるように位置合わせして、当接する。孔８Ａの主部８１が軸部４Ａのヘッド４２の通過を許容するサイズをもつので、この作業は容易に行われる。
【００４２】
次に、ユーザが軸部４Ａのヘッド４２を指の爪でつまんで、コイルばねの伸張力に抗して軸部４Ａのヘッド４２を少し引っ張る。これにより、軸部４Ａのヘッド４２が本体右側面１ｄの浅溝１６から離脱し、さらに孔８Ａの主部８１を通って枠部６を越える位置まで引き出される。
【００４３】
続いて、表示カバー５Ａと本体１とが相対移動されて、軸部４Ａのシャフト４１が孔８Ａの副部８２に位置する状態にされる。ユーザが軸部４Ａのヘッド４２を離すと、図４（Ｂ）に示すように、コイルばねの伸張力によって、軸部４Ａのシャフトが本体１内部に引き込まれる。このとき、軸部４Ａのヘッド４２は孔８Ａの副部８２の通過を禁止されるので、表示カバー５Ａと本体１とは分離しなくなる。つまり、表示カバー５Ａの孔８Ａと本体１の軸部４Ａとが係合して、表示カバー５Ａと本体１とが繋がる。なお、表示カバー５Ａに対して本体１は軸部４Ａ（シャフト４１）を中心として回動可能になっている。
【００４４】
そして、この繋がった状態の機器が卓上に、表示カバー５Ａの枠部６が立つように、より正確には孔８Ａが設けられている辺６１の長手方向が鉛直に向くように載置される。すると、本体１の上部（側面のうち軸部４Ａが設けられている上面寄りの部位）が表示カバー５Ａの枠部６（辺６１）によって卓面よりも高い位置に保持され、本体１の下部は卓面に支持される。この結果、機器は本体前面１ａが水平面に対して傾斜したスタンド状態（実質的に、後述する図６（Ｂ）に相当する状態）をとる。つまり、機器本体１が卓上に斜めに立てて置かれる。したがって、ユーザが正しい姿勢で容易に表示部を見ることができる。また、表示カバー５Ａの孔８Ａと本体１の軸部４Ａとが係合しているので、スタンド状態を安定に保つことができる。
【００４５】
しかも、この表示カバー付き電子機器では、スタンド状態を実現するために、それぞれ機器本体１に軸部４Ａ、表示カバー５Ａに孔８Ａを設けているだけであるから、例えば特開平７−１０７４１９号公報に記載の従来例に比して、部品点数が少なく簡単な構造になる。また、表示カバー５Ａは機器本体１に対して着脱可能であるから、表示カバー５Ａをユーザが容易に交換することができる。したがって、ユーザは表示カバーとして色違いのもの、装飾違いのものなどを自分の好みに応じて使うことができる。
【００４６】
図５（Ａ）は、図１の表示カバー付き電子機器を変形した実施形態の表示カバー付き電子機器を示している。なお、図１中の構成要素と同じ構成要素には同じ符号を付して個々の説明を省略する。
【００４７】
この表示カバー付き電子機器では、本体１に関して言えば、既述の軸部４Ａに代わる軸部４Ｂを備えた点が異なっている。図４（Ｃ）に詳細に示すように、この軸部４Ｂのヘッド４３は、一般的な皿ねじの頭部のように、外へ向かって開いたテーパを有する円錐状に形成されている。なお、本体１の右側面１ｄには、Ｄ形の浅溝１６に代えて、円錐状のヘッド４３を収容するように擂り鉢状の溝１７が形成されている。
【００４８】
一方、表示カバー５Ｂに関して言えば、孔８Ｂが辺６１の長手方向に沿って複数形成されている点が異なっている。この例では、孔８Ｂが三つだけ、辺６１の長手方向中央部を中心として、辺６１の長さの１／３程度の範囲にわたって配置されている。図５（Ｂ）に拡大して示すように、孔８Ｂの主部８１、副部８２の縁には、それぞれ軸部４Ｂのヘッド４３のテーパに対応するテーパ８１ａ，８２ａが形成されている。
【００４９】
この表示カバー付き電子機器では、表示カバーの孔８Ｂは、辺６１の長手方向に沿って複数配置されている。したがって、図６（Ａ）（Ｂ）（Ｃ）に示すように、機器が卓９０上に置かれたスタンド状態で、本体１の上部（側面のうち軸部が設けられている上面寄りの部位）が保持される高さは、複数の孔８Ｂのうちいずれの孔に軸部４Ｂを差し込んだかに応じて可変して設定される。したがって、ユーザは自分が表示部２を見やすくなるように、機器本体１の傾斜角度を調整できる。例えば、座高の高いユーザは、図６（Ａ）のように、最も下に配置される孔８Ｂを選択して、本体１の上部が低い高さに保持されるように設定できる。一方、座高の低いユーザは、図６（Ｃ）のように、最も上に配置される孔８Ｂを選択して、本体１の上部が高い高さに保持されるように設定できる。
【００５０】
さらに、軸部４Ｂのヘッド４３はテーパを有する円錐状に形成され、表示カバー５Ｂの孔８Ｂはそのテーパに対応するテーパを有しているので、「表示カバーと本体とを相対移動させ」るとき、孔８Ｂのテーパ８１ａ，８２ａの上にヘッド４３のテーパが乗って円滑に移動する。したがって、「軸部のシャフトが孔の副部に位置する状態」にする作業が容易になる。
【００５１】
なお、図６（Ｄ）は、表示カバー５Ｂの孔８Ｂと本体１の軸部４Ｂとが係合して、表示カバー５Ｂと本体１とが繋がった状態を示している。
【００５２】
また、当然ながら、テーパが形成されていない孔８Ａであっても、図２に示すように、そのような孔８Ａを辺６１の長手方向に沿って複数配置すれば、機器本体１の傾斜角度を調整できる。
【００５３】
（第２実施形態）
図７は、一実施形態の表示カバー付き電子機器の機器本体１０１を示している。詳しくは、図７（Ａ）は本体１０１を前方から見たところ、図７（Ｂ）は本体１０１を上方から見たところ、図７（Ｃ）は本体１０１を右側方から見たところ、図７（Ｄ）は図７（Ａ）におけるＤ−Ｄ線矢視断面をそれぞれ示している。なお、本体１０１における上下左右、前後は、ユーザがこの機器を卓上に載置して使用するときの視点を基準にしている。
【００５４】
本体１０１は、実質的に平坦な前面１０１ａ、後面１０１ｂ、上面１０１ｃ、右側面１０１ｄ、下面１０１ｅおよび左側面１０１ｆで定められた箱状の外形を有している。この本体１０１は、前半分１０１Ａと、後半分１０１Ｂとの二つを合体して組み立てられている。
【００５５】
本体１０１において、上面１０１ｃと右側面１０１ｄとの間のコーナ部、右側面１０１ｄと下面１０１ｅとの間のコーナ部、下面１０１ｅと左側面１０１ｆとの間のコーナ部、左側面１０１ｆと上面１０１ｃとの間のコーナ部には、それぞれ円弧状のアール（ｒ）がつけられている。第１実施形態におけるのと同様に、各コーナ部には、表示カバーを係合するのに用いられる凹溝１０３がそれぞれ設けられている。
【００５６】
本体前面１０１ａには、枠状の周縁部で取り囲まれた内部に矩形のドットマトリクス方式液晶表示部１０２が設けられている。図７（Ｄ）に示すように、この液晶表示部１０２の上には、保護用の透明板１２１が設けられている。
【００５７】
本体上面１０１ｃには、表示カバーの凹部の対（後述する）の間に嵌まる形状をもつ凸部として、機器本来の機能を実現するための複数の操作ボタン（電源ＯＮ，ＯＦＦボタン、画面送り・戻しボタン等）１８３を含む操作部１０８が設けられている。
【００５８】
図８（Ａ）に分解して示すように、操作部１０８は、複数の操作ボタン１８３が取り付けられた棒状のフレーム１８２と、その外側に配置され、ボタンを収容するための筒部１８４を有するパネル板１８１とを有している。パネル板１８１の左端（図７（Ｃ）の視点での左端をいう。図８（Ａ）の視点では右端に見える。）には、平板状のつば部１８５が左方へ張り出している。フレーム１８２の左端には樹脂ばね１８６が一体に形成されている。樹脂ばね１８６は、フレーム１８２に対して垂直に延びる板ばね部１８６ｂと、その先端に設けられ左方へ突出した係合突起１８６ａとを含んでいる。また、図８（Ｂ）に示すように、パネル板１８１の右端（図７（Ｃ）の視点での右端をいう。図８（Ｂ）の視点では左端に見える。）には、右方へ突出した係合突起１８８と、その外側に設けられたつば部１８７とが一体に形成されている。これらのフレーム１８２、パネル板１８１はそれぞれ樹脂材料を一体成形して形成されている。
【００５９】
図７（Ｄ）に示すように、本体１０１の完成状態では、これらのフレーム１８２、パネル板１８１は、本体内部に設けられたリブ１１２，１１３と本体上面１０１ｃ（内壁）との間に嵌合されて保持されている。ユーザが本体外部から操作ボタン１８３を押すと、本体内部で操作ボタン１８３に当接して配置されたスイッチ１２２が動作して、機器本来の動作が行われる。
【００６０】
図１１（Ｂ）に示すように、この実施形態では、表示カバー１０５Ｂは、本体前面１０１ａの周縁部を覆うための平板状の枠部１０６と、この枠部１０６の四隅からそれぞれ枠部１０６に対して垂直に（装着時の本体１０１の後方へ）延びるコーナカバー部１７１，１７２，１７３，１７４とを有している。枠部１０６は、本体１０１の周縁部の形状に一致した略ロの字状のものであり、細長い平板状の四つの辺１６１，１６２，１６３，１６４からなっている。コーナカバー部１７１，１７２，１７３，１７４は、断面円弧状で、先細になっている。各コーナカバー部１７１，１７２，１７３，１７４の先端には、第１実施形態におけるのと同様に、それぞれ本体１０１の凹溝１０３と係合する形状をもつ突起（図示せず）が設けられている。
【００６１】
表示カバー１０５Ｂの枠部１０６の対向する２辺１６２，１６４の内縁に、互いに対向する凹部１０７の対が複数形成されている。図１１（Ｂ）の例では、一方の辺１６２には、その長手方向に沿って、凹部１０７が三つだけ、辺１６２の長手方向中央部から上部までの範囲にわたって配置されている。他方の辺１６４にも、その長手方向に沿って、凹部１０７が三つだけ、辺１６４の長手方向中央部から上部までの範囲にわたって配置されている。２辺１６２，１６４は全く左右対称に構成されている。
【００６２】
この表示カバー付き電子機器は次のようにして使用される。
【００６３】
▲１▼　機器を保管・携行する場合は、表示カバー１０５Ｂが本体１０１に対して、図１中に１点鎖線の矢印で示したのと同様に、前方から向きに装着される。これにより、表示カバー１０５Ｂの枠部１０６が本体前面１０１ａの周縁を覆う状態になる。また、表示カバー１０５Ｂの各コーナカバー部１７１，１７２，１７３，１７４の先端に設けられた突起（図示せず）が、それぞれ本体１０１の対応する凹溝１０３と係合して、表示カバー１０５Ｂが本体１０１から離脱するのが防止される。
【００６４】
なお、ユーザが指の爪などでコーナカバー部１７１，１７２，１７３，１７４を本体１０１のコーナ部から少し引き離すように起こせば、表示カバー１０５Ｂが撓んで突起と凹溝１０３との係合が解除され、その結果、表示カバー１０５Ｂが本体１０１から取り外される。
【００６５】
▲２▼　機器を卓上で使用する場合は、次のようにして機器が卓上に置かれる。
【００６６】
詳しくは、まず図１０に示すように、本体１０１から取り外された表示カバー１０５Ｂの枠部１０６内に本体１０１の操作部１０８が挿入される。続いて、枠部１０６の辺１６２の内縁に形成された一方の凹部１０７に、操作部１０８の左端の係合突起１８６ａが嵌合される。
【００６７】
次に、その一方の凹部１０７を中心として、枠部１０６が本体に対して図１０において右回りに回転されて、枠部１０６の辺１６４の内縁に形成された他方の凹部１０７が、操作部１０８の右端の係合突起１８８に嵌合される。このとき、ユーザが枠部１０６を右側に押しながら回転させれば、樹脂ばね１８６（板ばね部１８６ｂ）が右側へ撓むので、他方の凹部１０７と係合突起１８８とを嵌合させる作業が容易になる。このようにして、対応する凹部１０７の対の間に、本体の操作部１０８が嵌合される。
【００６８】
図１０の例では、２辺１６２，１６４の長手方向中央部に形成された凹部１０７の対の間に操作部１０８を嵌合しているが、図９（Ａ）に示すように、２辺１６２，１６４の長手方向上部に形成された凹部１０７の対の間に操作部１０８を嵌合しても良い。また、長手方向に関してそれらの中間に形成された凹部１０７の対の間に操作部１０８を嵌合しても良い。
【００６９】
対応する凹部１０７の対の間に本体１０１の操作部１０８が嵌合されると、図９（Ａ）におけるＢ−Ｂ線矢視断面に相当する図９（Ｂ）によって良く分かるように、枠部１０６の２辺１６２，１６４はそれぞれパネル板１８１のつば部１８５，１８７と本体上面１０１ｃとの間に挟持される。この結果、表示カバー１０５Ｂと本体１０１とは、本体前面１０１ａと表示カバー１０５Ｂの枠部１０６とが交差する角度で、一体になる。
【００７０】
そして、図１２（Ａ）（Ｂ）（Ｃ）に示すように、この一体になった状態の機器が卓１９０上に、表示カバー１０５Ｂと本体１０１とが互いを支え合うように、人の字状に載置されて、本体前面１０１ａが水平面に対して傾斜したスタンド状態をとる。つまり、機器本体１０１が卓１９０上に斜めに立てて置かれる。したがって、ユーザが正しい姿勢で容易に表示部１０２を見ることができる。
【００７１】
機器が卓１９０上に置かれたスタンド状態で、本体１０１の上部（操作部１０８が設けられている面）が保持される高さは、複数の凹部１０７の対のうちいずれの対の間に操作部１０８を嵌合させたかに応じて可変して設定される。したがって、ユーザは自分が表示部１０２を見やすくなるように、機器本体１０１の傾斜角度を調整できる。例えば、座高の高いユーザは、図１２（Ｃ）のように、最も下に配置される凹部１０７の対を選択して、本体１０１の上部が低い高さに保持されるように設定できる。一方、座高の低いユーザは、図１２（Ａ）のように、最も上に配置される凹部１０７の対を選択して、本体１０１の上部が高い高さに保持されるように設定できる。
【００７２】
しかも、この表示カバー付き電子機器では、スタンド状態を実現するために、機器本体１０１の操作部１０８のパネル板１８１を変形し、表示カバー１０５Ｂに凹部１０７を設けているだけであるから、例えば特開平７−１０７４１９号公報に記載の従来例に比して、部品点数が少なく簡単な構造になる。また、表示カバー１０５Ｂは機器本体１０１に対して着脱可能であるから、表示カバー１０５Ｂをユーザが容易に交換することができる。したがって、ユーザは表示カバーとして色違いのもの、装飾違いのものなどを自分の好みに応じて使うことができる。
【００７３】
なお、図１１（Ｃ）に示す表示カバー１０５Ｃのように、凹部１０７は辺１６２，１６４の長手方向に沿って一定ピッチで連続して設けられていても良い。この例では、長手方向に関してピッチを凹部１０７の寸法の２倍に設定して、正弦波のような波形形状としている。このようにした場合、機器本体１０１の傾斜角度をさらに細かく調整できる。しかも、表示カバーの見栄えを良くすることができる。
【００７４】
当然ながら、機器本体１０１の傾斜角度を調整することなく機器本体１０１を卓上に斜めに立てて置くためだけならば、図１１（Ａ）に示す表示カバー１０５Ａのように、凹部１０７は１対だけ設けられていれば足りる。
【００７５】
また、この例では、本体１０１の凸部としての操作部１０８に樹脂ばね１８６を設けたが、弾性をもつものであれば、樹脂ばね１８６に代えて他の手段を設けても良い。
【００７６】
【発明の効果】
以上より明らかなように、この発明の表示カバー付き電子機器によれば、簡易な構造で、機器本体を卓上に斜めに立てて置ける上、表示カバーをユーザが容易に交換できる。
【図面の簡単な説明】
【図１】この発明の一実施形態の表示カバー付き電子機器の本体と、本体に対して着脱可能に構成された表示カバーとを斜めから見たところを示す図である。
【図２】上記表示カバーの変形例を示す図である。
【図３】表示カバーが前方から本体に装着された機器の縦断面を示す図である。
【図４】本体に設けられた軸部と表示カバーの枠部との係合を説明する図である。
【図５】変形された実施形態の表示カバー付き電子機器の本体と表示カバーとを示す図である。
【図６】上記機器本体が卓上に斜めに立てて置かれた状態を示す図である。
【図７】この発明の別の実施形態の表示カバー付き電子機器の本体を示す図である。
【図８】表示カバー付き電子機器の操作部を分解して示す図である。
【図９】表示カバーの凹部の対の間に本体の操作部が嵌合された状態を示す図である。
【図１０】表示カバーの凹部の対の間に本体の操作部を嵌合する過程を説明する図である。
【図１１】表示カバーがとり得る態様を示す図である。
【図１２】上記機器本体が卓上に斜めに立てて置かれた状態を示す図である。
【符号の説明】
１，１０１　機器本体
２，１０２　表示部
３，１０３　凹溝
４Ａ，４Ｂ　軸部
５Ａ，５Ｂ，１０５Ａ，１０５Ｂ，１０５Ｃ　表示カバー
６，１０６　枠部
７　突起
８Ａ，８Ｂ　孔
１０７　凹部
１８５，１８７　つば部
１８６ａ，１８８　係合突起
【図１】
2004045493.tif 000003
【図２】
2004045493.tif 000004
【図３】
2004045493.tif 000005
【図４】
2004045493.tif 000006
【図５】
2004045493.tif 000007
【図６】
2004045493.tif 000008
【図７】
2004045493.tif 000009
【図８】
2004045493.tif 000010
【図９】
2004045493.tif 000011
【図１０】
2004045493.tif 000012
【図１１】
2004045493.tif 000013
【図１２】
2004045493.tif 000014